(57)【特許請求の範囲】
【請求項１】
コネクタがそれぞれ設けられた複数のユニットを有し、該各ユニットを組み付けることにより、前記各ユニットのコネクタ同士を電気的に接続させる遊技機において、
前記各ユニットは、前記コネクタを取り付けるための座面部を有し、
前記座面部は、予め定められた距離をおいて設けられた第１座穴及び第２座穴、並びに、確認用係止部を有し、
前記コネクタは、前記距離と同じ距離をおいて設けられた第１貫通穴及び第２貫通穴と、被係止部と、前記被係止部が設けられた底部及び周壁を含むハウジングと、該ハウジングの前記周壁内に配列された接触子とを有し、
前記底部は、該底部の両端から前記接触子の配列方向にそれぞれ延ばされた一対の延出部を有し、
前記一対の延出部の一方は、前記第１貫通穴を有し、
前記一対の延出部の他方は、前記第１貫通穴に対して前記定められた距離をおいた前記第２貫通穴を有し、
前記底部の両端から前記接触子の配列方向にそれぞれ延ばされた一対の前記延出部の形状は、前記第１貫通穴と前記第２貫通穴との間の中心位置に対して非点対称に形成され、
前記確認用係止部及び前記被係止部は、前記第１座穴に前記第１貫通穴を対向させ、前記第２座穴に前記第２貫通穴を対向させた場合に、前記コネクタを前記座面部に取り付けるように互いに嵌合し、前記第１座穴に前記第２貫通穴を対向させ、前記第２座穴に前記第１貫通穴を対向させた場合に、前記コネクタを前記座面部に取り付けられないように互いの嵌合を阻止する構造である
ことを特徴とする遊技機。
【請求項２】
前記確認用係止部は、前記座面部の前記第１座穴と前記第２座穴との間の中心位置から外れた位置に設けられ、凸状又は凹状の一方の形状に形成され、
前記被係止部は、前記コネクタの前記第１貫通穴と前記第２貫通穴との間の中心位置から外れた位置に設けられ、凸状又は凹状の他方の形状に形成された
ことを特徴とする請求項１に記載の遊技機。
【請求項３】
前記凸状に形成された前記被係止部は、前記底部の端部又は前記延出部の端部より、前記接触子の配列方向で前記中心位置に寄った位置に設けられた
ことを特徴とする請求項１又は請求項２に記載の遊技機。
【請求項４】
前記第１貫通穴及び前記第１座穴に通し、及び、前記第２貫通穴及び第２座穴に通して、前記コネクタを前記座面部に取り付けるためのねじ部材を有し、
前記凸状に形成された前記被係止部の前記嵌合する方向の長さは、前記ねじ部材の首下の長さ以上である
ことを特徴とする請求項１から請求項３のいずれかに記載の遊技機。
【請求項５】
前記コネクタは、前記接触子の配列方向に予め定められた範囲内で位置調整可能に前記座面部に支持されたことを特徴とする請求項１から請求項４のいずれかに記載の遊技機。
【請求項６】
前記被係止部は、前記第１貫通穴又は前記第２貫通穴の一方の貫通穴の周縁部に設けられ、
前記確認用係止部は、前記一方の貫通穴に対応する、前記第１座穴又は前記第２座穴の一方の座穴の周縁部に設けられた
ことを特徴とする請求項１から請求項５のいずれかに記載の遊技機。
【請求項７】
前記確認用係止部は、前記座面部の前記第１座穴と前記第２座穴との間の中心位置に設けられ、凸状又は凹状の一方の形状に形成され、
前記被係止部は、前記コネクタの前記第１貫通穴と前記第２貫通穴との間の中心位置に設けられ、凸状又は凹状の他方の形状に形成され、
前記確認用係止部及び前記被係止部の嵌合する方向に対して直交する各断面形状は、前記中心位置に対して非点対称にそれぞれ形成された
ことを特徴とする請求項１に記載の遊技機。
【請求項８】
遊技球が流下可能な遊技領域を形成した遊技盤と、該遊技盤の両側縁部の一方を略中心にして他方の側縁部を前方向に開閉可能に支持した中枠とを備え、
前記複数のユニットの一つは前記遊技盤であり、前記コネクタは、前記遊技盤の他方の側縁部に複数設けられ、
前記複数のユニットの他の一つは、前記中枠に設けられたベース部材であり、該ベース部材のコネクタは、前記遊技盤に設けられた前記複数コネクタに対応させて複数設けられた
ことを特徴とする請求項１又は請求項７に記載の遊技機。
【発明の詳細な説明】
【技術分野】
【０００１】
この発明は、コネクタがそれぞれ設けられた複数のユニットを有し、該各ユニットを組み付けることにより、前記各ユニットのコネクタ同士を電気的に接続させる遊技機に関する。
【背景技術】
【０００２】
複数のユニットを組み付けるときに、同時に、コネクタ同士を電気的に接続させるコネクタは、ドッキングコネクタと称される。ドッキングコネクタは、一般的なコネクタと同様に、プラグ及びソケットを有する。プラグ及びソケット等のコネクタは、複数の接触子（コンタクト）、及び、各接触子を配列して保持するハウジングをそれぞれ有している。各接触子には信号線又は電源線が接続されている。一般的にハウジングの形状や接触子の配列は非対称に構成されている。仮に、コネクタをユニットに逆に組み付けると、ハウジングの形状及び接触子の配列も逆となってしまう。
【０００３】
遊技盤及びその遊技盤を支持するための中枠を備えたパチンコ遊技機においては、中枠に支持された遊技盤は、遊技盤の両側部の一方を略中心にして、遊技盤の両側部の他方を前方へ開閉可能となっている。また、ドッキングコネクタにおいては、遊技盤の両側部の他方に前記ソケットが設けられ、前記ソケットに対応させた前記プラグが中枠に設けられている。ドッキングコネクタは、遊技盤の他方の側部を閉じることにより、プラグとソケットとを互いに嵌合させ、電気的に接続させる。
【０００４】
以上のように、遊技盤や中枠のような複数のユニットにそれぞれ設けられるコネクタとして、複数のドッキングコネクタを設ける場合であっても、複数のユニットを組み付ける時に、同時に、各ドッキングコネクタの電気的な接続関係をとることができ、組み付け時の作業性を向上させることが可能となる。
【０００５】
遊技盤が閉じられるとき、遊技盤の他方の側部に設けられたソケットは、遊技盤の一方の側部を略中心にして円弧運動をする。そのため、プラグとソケットとの嵌合を開始した時と、嵌合を完了した時とで、プラグとソケットとが互いに相対的に移動し、その結果、接触子（コンタクト）の変形、摩耗又は破損の要因となる。
【０００６】
接触子への負荷を軽減して、接触子の変形等を防止するために、上記ドッキングコネクタは、プラグとソケットとを互いに相対的に移動可能に支持した、フローティングコネクタの構造をとる。フローティングコネクタの構造の一例としては、プラグ（第１コネクタ）とソケット（第２コネクタ）との嵌合接続方向に対して略直角な面内で移動可能に支持するフローティングブッシュを有し、接触子への負荷を軽減している（例えば、特許文献１）。
【先行技術文献】
【特許文献】
【０００７】
【特許文献１】特開２００５−２１８７３０号公報
【発明の概要】
【発明が解決しようとする課題】
【０００８】
しかしながら、上記特許文献に記載された遊技機では、組立作業者は、遊技盤及び中枠などの各ユニットに対して、プラグ及びソケットなどの各コネクタの組み付けが正しいか否かを特別に確認せずに、正しい組み付けであることを前提として、各ユニットを組み付けるため、コネクタをユニットに逆に組み付けた場合、前述したように、ハウジングの形状や接触子の配列が逆になってしまうため、上記のフローティングコネクタの構造を採用していたとしても意味をなさず、接触子の破損やコネクタの損傷を招くという問題点があった。また、仮に、コネクタ同士を電気的に接続させることができたとしても、誤信号の送受信や、予定されない電圧の供給を生じるという問題がある。
【０００９】
この発明は、上記の問題を解決するものであり、ユニットに対するコネクタの逆付けを防止することが可能な遊技機を提供することを目的とする。
【課題を解決するための手段】
【００１０】
上記課題を解決するため、この発明は、コネクタと、コネクタが取り付けられる座面部とに、コネクタを逆付けしようとしても、逆付けできない形状をそれぞれ設けることに着目した。
具体的に、この発明の第１の形態は、コネクタがそれぞれ設けられた複数のユニットを有し、該各ユニットを組み付けることにより、前記各ユニットのコネクタ同士を電気的に接続させる遊技機において、前記各ユニットは、前記コネクタを取り付けるための座面部を有し、前記座面部は、予め定められた距離をおいて設けられた第１座穴及び第２座穴、並びに、確認用係止部を有し、前記コネクタは、前記距離と同じ距離をおいて設けられた第１貫通穴及び第２貫通穴と、被係止部と、前記被係止部が設けられた底部及び周壁を含むハウジングと、該ハウジングの前記周壁内に配列された接触子とを有し、前記底部は、該底部の両端から前記接触子の配列方向にそれぞれ延ばされた一対の延出部を有し、前記一対の延出部の一方は、前記第１貫通穴を有し、前記一対の延出部の他方は、前記第１貫通穴に対して前記定められた距離をおいた前記第２貫通穴を有し、前記底部の両端から前記接触子の配列方向にそれぞれ延ばされた一対の前記延出部の形状は、前記第１貫通穴と前記第２貫通穴との間の中心位置に対して非点対称に形成され、前記確認用係止部及び前記被係止部は、前記第１座穴に前記第１貫通穴を対向させ、前記第２座穴に前記第２貫通穴を対向させた場合に、前記コネクタを前記座面部に取り付けるように互いに嵌合し、前記第１座穴に前記第２貫通穴を対向させ、前記第２座穴に前記第１貫通穴を対向させた場合に、前記コネクタを前記座面部に取り付けられないように互いの嵌合を阻止する構造であることを特徴とする遊技機である。
また、この発明の第２の形態は、第１の形態に係る遊技機であって、前記確認用係止部は、前記座面部の前記第１座穴と前記第２座穴との間の中心位置から外れた位置に設けられ、凸状又は凹状の一方の形状に形成され、前記被係止部は、前記コネクタの前記第１貫通穴と前記第２貫通穴との間の中心位置から外れた位置に設けられ、凸状又は凹状の他方の形状に形成されたことを特徴とする。
さらに、この発明の第３の形態は、第１の形態又は第２の形態に係る遊技機であって、前記凸状に形成された前記被係止部は、前記底部又は前記延出部の前記中心位置寄りの位置に設けられたことを特徴とする。
さらに、この発明の第４の形態は、第１の形態から第３の形態のいずれかに係る遊技機であって、前記第１貫通穴及び前記第１座穴に通し、及び、前記第２貫通穴及び第２座穴に通して、前記コネクタを前記座面部に取り付けるためのねじ部材を有し、前記凸状に形成された前記被係止部の前記嵌合する方向の長さは、前記ねじ部材の首下の長さ以上を有することを特徴とする。
さらに、この発明の第５の形態は、第１の形態から第４の形態のいずれかに係る遊技機であって、前記コネクタは、前記接触子の配列方向に予め定められた範囲内で位置調整可能に前記座面部に支持されたことを特徴とする。
さらに、この発明の第６の形態は、第１の形態から第５の形態のいずれかに係る遊技機であって、前記被係止部は、前記第１貫通穴又は前記第２貫通穴の一方の貫通穴の周縁部に設けられ、前記確認用係止部は、前記一方の貫通穴に対応する、前記第１座穴又は前記第２座穴の一方の座穴の周縁部に設けられたことを特徴とする。
さらに、この発明の第７の形態は、第１の形態に係る遊技機であって、前記確認用係止部は、前記座面部の前記第１座穴と前記第２座穴との間の中心位置に設けられ、凸状又は凹状の一方の形状に形成され、前記被係止部は、前記コネクタの前記第１貫通穴と前記第２貫通穴との間の中心位置に設けられ、凸状又は凹状の他方の形状に形成され、前記確認用係止部及び前記被係止部の嵌合する方向に対して直交する各断面形状は、前記中心位置に対して非点対称にそれぞれ形成されたことを特徴とする。
さらに、この発明の第８の形態は、第１の形態又は第７の形態に係る遊技機であって、遊技球が流下可能な遊技領域を形成した遊技盤と、該遊技盤の両側縁部の一方を略中心にして他方の側縁部を前方向に開閉可能に支持した中枠とを備え、前記複数のユニットの一つは前記遊技盤であり、前記コネクタは、前記遊技盤の他方の側縁部に複数設けられ、前記複数のユニットの他の一つは、前記中枠に設けられたベース部材であり、該ベース部材のコネクタは、前記遊技盤に設けられた前記複数コネクタに対応させて複数設けられたことを特徴とする。
【発明の効果】
【００１１】
この発明の第１の形態によると、座面部に確認用係止部を設け、コネクタに被係止部を設けて、正しい組付けの場合に、確認用係止部と被係止部とを互いに嵌合し、逆付けの場合に、互いの嵌合を阻止するようにしたので、簡単な構造により、コネクタの逆付けを防止することが可能となる。また、この発明の第１の形態によると、第１貫通穴及び第２貫通穴を設けるための延出部を有するので、その延出部に被係止部を設けることが可能となる。組立作業者が、延出部を把持し、また、見たりすることで、コネクタの逆付けを予防することが可能となる。さらに、この発明の第１の形態によると、延出部を中心位置に対して非点対称に形成しため、非対称の形状を基に、コネクタの逆付けを簡単に判断することが可能となる。
【００１２】
また、この発明の第２の形態によると、第１座穴に第２貫通穴を対応させ、第２座穴に第１貫通穴を対応させた場合、被係止部は、確認用係止部と対応する本来的な位置に対し、第１貫通穴と第２貫通穴との間の中心位置とする点対称の位置にあって、確認用係止部に対応せず、確認用係止部と被係止部との互いの嵌合を阻止する。それにより、コネクタの逆付けを防止することが可能となる。
【００１５】
さらに、この発明の第３の形態によると、中心位置寄りの位置に被係止部を設けることにより、コネクタを逆付けした場合、コネクタが座面部に対して傾く。それにより、コネクタの逆付けを判断することが可能となる。
【００１６】
さらに、この発明の第４の形態によると、コネクタを逆付けしようとした場合に、被係止部により、ねじ部材が第１座穴及び第２座穴に届かないので、コネクタの逆付けを防止することが可能となる。
【００１７】
さらに、この発明の第５の形態によると、コネクタ同士が互いに斜めに嵌合する場合において、接触子同士の摩擦により、接触子に大きな負荷がかかりそうな場合、コネクタを自動的に位置調整することで、接触子の負荷を軽減して、接触子の変形等を防止することが可能となる。
【００１８】
さらに、この発明の第６の形態によると、確認用係止部及び被係止部をあえて特別な場所に設けずに済み、コネクタの大型化を防止することが可能となる。
【００１９】
さらに、この発明の第７の形態によると、確認用係止部及び被係止部がそれぞれ中心位置に設けられても、互いに非点対称の断面形状を有しない場合は、１８０度回転させて、取り付けようとしても、確認用係止部と被係止部とが互いに嵌合せず、コネクタの逆付けを防止することが可能となる。
【００２０】
さらに、この発明の第８の形態によると、複数のコネクタが設けられた分だけ、コネクタ同士を嵌合させる際に、大きな力が必要となるが、複数のコネクタがいずれも正しく組み付けられているので、その大きな力で、コネクタ同士を嵌合させても、コネクタの損傷を防止することが可能となる。
【図面の簡単な説明】
【００２１】
【図１】この発明の一実施形態に係るパチンコ遊技機の背面図である。
【図２】遊技盤を斜め前方から見た斜視図である。
【図３】外枠、中枠、及び、遊技盤の取付関係を示す図であり、（ａ）は、中枠に組み付けられた後の遊技盤の水平断面図、（ｂ）は、中枠に組み付けられる直前の遊技盤の水平断面図である。
【図４】遊技盤の正面図である。
【図５】遊技盤の背面図である。
【図６】主制御装置を設けた遊技盤の背面図である。
【図７】各種基板の接続関係を示す回路図である。
【図８】中枠、中枠に取り付けられるベース部材、コネクタ、及び、遊技盤の分解斜視図である。
【図９】コネクタ、及び、ベース部材の分解斜視図である。
【図１０】（ａ）は雄コネクタの背面図、（ｂ）は平面図、（ｃ）は（ａ）のＣ−Ｃ線断面図、（ｄ）は、逆付けした場合の雄コネクタの平面図である。
【図１１】（ａ）は嵌合完了時のコネクタの図、（ｂ）は、嵌合開始時のコネクタの図である。
【図１２】（ａ）は雌コネクタの正面図、（ｂ）は平面図、（ｃ）は背面図、（ｄ）は逆付けした場合の雌コネクタの平面図である。
【図１３】雄コネクタの変形例を示し、（ａ）は雄コネクタの背面図、（ｂ）は平面図、（ｃ）は逆付けした場合の雄コネクタの平面図である。
【図１４】雌コネクタの変形例を示し、（ａ）は雌コネクタの縦断面図、（ｂ）は逆付けした場合の雌コネクタの縦断面図である。
【発明を実施するための形態】
【００２２】
次に、この発明の一の実施形態に係る遊技機について、図１から図１２を参照して説明する。図１はパチンコ遊技機の背面図、図２は遊技盤の斜視図、図３は外枠、中枠、及び、遊技盤の取付関係を示す図である。なお、本実施形態では、遊技球としてパチンコ球を用いて遊技を行うパチンコ遊技機を代表して説明するが、例えば、遊技者の操作で図柄の変動を開始させ、図柄の変動を停止させた際の図柄組み合わせに応じて遊技者に賞球を付与する遊技が行われる回胴式の遊技機を含む各種の遊技機であっても良い。また、以下の説明において、「前」、「後」、「左」、「右」とは、特に断りのない限り、遊技機を正面側から見た場合に、遊技機の手前、遊技機の背後、遊技機の左、及び、遊技機の右を示し、それらを図２に示す。
【００２３】
（パチンコ遊技機）
本実施形態に係るパチンコ遊技機１０は、図１に示すように、矩形枠状に形成されて遊技店の図示しない設置枠台に設定される矩形枠状の外枠１１と、外枠１１の開口前面側に開閉及び着脱可能に組み付けられる中枠１２と、中枠１２に着脱可能に保持された遊技盤４０（図２参照）と、中枠１２の前面側に配され、遊技盤４０を透視保護するガラス板（図示省略）を備えた前枠（図示省略）とを有している。外枠１１には、中枠１２及び前枠が開閉可能に組み付けられる。また、中枠１２には、遊技盤４０が着脱可能に組み付けられるよう構成される。また、実施形態では、前枠の下部位置に、パチンコ球を貯留する上球受け皿が一体的に組み付けられており、前枠の開閉に合わせて上球受け皿も一体的に開閉するよう構成される。上枠１１１、下枠１１２、左枠１１３、及び、右枠１１４を有する外枠１１を図１に示す。
【００２４】
（中枠）
中枠１２は、図３に示すように、上縁をなす上枠部材（図示省略）と、下縁をなし、スピーカや打球発射装置、操作ハンドル等が設定された下枠部材１２２と、左側縁をなす左枠部材１２３と、右側縁をなす右枠部材１２４とから構成されて、これら上下左右の枠部材を組み付けた際に、全体が外枠１１の開口に整合する矩形枠状に形成される。そして、上下左右の枠部材を組み付けた際に前後に開口する開口部分が、遊技盤４０を設定する遊技盤保持部１２５として機能する。ここで、中枠１２は、外枠１１の左枠１１３の上端部及び左下端部に設けられた支軸１１５を介して枢支され、左側端部を中心として中枠１２を回転させることで、外枠１１に対して中枠１２を開閉し得るようになっている。なお、図３において、想像線により前枠１３を概念的に示す。
【００２５】
また、図２及び図３に示すように、左枠部材１２３の開口内側には、上下に離間する位置に、遊技盤４０の左側端部４３を回転及び着脱可能に保持する回転保持部１２６が設けられると共に、右枠部材１２４側に、遊技盤４０の右側端部４４の上下端部を固定する固定具（図示省略）がそれぞれ設けられている。すなわち、遊技盤４０を中枠１２に配設するには、遊技盤保持部１２５に斜めに遊技盤４０を臨ませて、遊技盤４０の左側端部４３を回転保持部１２６で保持した状態で、遊技盤４０の右側端部４４を押し込んで、遊技盤４０の左側端部４３（回転保持部１２６）を中心に回動させる。左側端部４３を中心に回動させる遊技盤４０を図３（ｂ）に示す。次に、遊技盤４０全体を遊技盤保持部１２５に臨ませて、固定具４５により遊技盤４０の右側端部４４の上下端部を支持固定する。固定具４５により右側端部４４の上下端部を支持固定される遊技盤４０を図２及び図３（ａ）に示す。このように、実施形態に係る遊技盤４０は、中枠１２と同様に、左側端部４３が回転中心となるようにされる。なお、以下の説明において、パチンコ遊技機１０（遊技盤４０）における左側を枢支端側と称し、右側を開放端側と称することもある。
【００２６】
図１から図３に示すように、中枠１２の上枠部材（図示省略）の裏側には、設置枠台等に設けられた外部球供給設備から供給されたパチンコ球を貯留する球タンク１２７が、上枠部材の左右幅の略全幅に亘って設けられている。下枠部材１２２の裏側には、上下の球受け皿（図示省略）に連通する球供給路及び設置枠台に設けた球回収樋に連通する球排出路がそれぞれ形成されたセット部材１２８が配設されている。球タンク１２７及びセット部材１２８を図１に示す。球タンク１２７とセット部材１２８とは、各部材１２７、１２８における左枠部材１２３側の端部間に架設された球通路ユニット１２９を介して連通接続されており、球通路ユニット１２９に配設された球払出し装置１２９ａの駆動により球タンク１２７に供給されたパチンコ球を上下の球受け皿（図示省略）へ給出するように構成されている。このセット部材１２８には、パチンコ遊技機１０の電源制御を行う電源装置２１、球通路ユニット１２９に配設した球払出し装置１２９ａを駆動制御する払出し制御装置２２、打球発射装置（図示省略）を駆動制御する発射制御装置２３、外部端末に接続されるインターフェース基板２４等が配設されている。なお、これらの各装置２１、２２、２３、２４は、遊技盤４０の裏側に配設される主制御装置２０に配線接続され、主制御装置２０からの制御信号に基づいて所定の制御を実行するようになっている。主制御装置２０、電源装置２１、払出し制御装置２２、発射制御装置２３、インターフェース基板２４を図１に示す。なお、図１は、リアパックを外して電源装置２１等を表している。
【００２７】
（遊技盤）
次に、遊技盤４０について、図１から図６を参照して説明する。図４は遊技盤４０の正面図、図５は遊技盤４０の背面図、図６は主制御装置２０を設けた遊技盤の背面図である。
【００２８】
図３に前記透明板４１及び裏ユニット５１を一体的にかつ概念的に表現した遊技盤４０を示し、図４に透明板４１を示し、また、図５に、裏ユニット５１を示す。図３から図５に示すように、遊技盤４０は、中枠１２の遊技盤保持部１２５に整合する略正方形に形成されたアクリルやポリカーボネート等の光透過性の合成樹脂材からなる平板状の透明板４１と、透明板の後面に組み付けられて図柄表示装置（図示省略）が着脱可能に配設される裏ユニット５１とから構成され、裏ユニット５１に形成された前後に開口する可視表示部５２（図２参照）を介して図柄表示装置の表示面を前面側から視認し得るように構成されている。
【００２９】
図４に示すように、透明板４１の前面には略円形状に湾曲形成したレール４２が配設されて、レール４２によりパチンコ球が流下可能な遊技領域４０ａが画成され、打球発射装置（図示省略）から発射されたパチンコ球が遊技領域４０ａ内に打ち出されるようになっている。透明板４１の下方位置には、遊技領域４０ａを流下するパチンコ球が入賞可能な始動入賞装置や特別入賞装置が配設されており、始動入賞装置にパチンコ球が入賞することで、図柄表示装置において図柄変動ゲームが展開され、図柄変動ゲームの結果、図柄表示装置に所定の図柄組み合わせで図柄が停止表示されると、特別入賞装置の入賞口が開放して所謂大当たりが発生し、多数の賞球を獲得し得るよう構成されている。
【００３０】
図５に示すように、裏ユニット５１は、透視不能な合成樹脂（例えば、ＡＢＳ樹脂）から、外郭形状が透明板４１と略整合する大きさ及び形状に形成され、裏ユニット５１の略中央位置に可視表示部５２が開設された枠状に形成されている。透明板４１及び可視表示部５２を図４に示す。可視表示部５２より上側の部位を上枠部５２１と称し、可視表示部５２より下側の部位を下枠部５２２と称する。また、裏ユニット５１において、可視表示部５２の上下縁部（上枠部５２１、下枠部５２２）の間であって、枢支端側（図４で左側、図５で右側）の枠部分を枢支端側枠部５２３と称し、可視表示部５２の上下縁部（上枠部５２１、下枠部５２２）の間であって、開放端側（図４で右側、図５で左側）の枠部分を開放端側枠部５２４と称する。下枠部５２２の裏側には、前方に開口する横長矩形箱状に形成された設置部材６１が配設されている。設置部材６１の上面６２が図柄表示装置（図示省略）を支持する支持面として機能している。
【００３１】
図１及び図５に示すように、設置部材６１の後面には、中継基板６５を設置する基板設置部６３が設けられ、基板設置部６３に配設された中継基板６５に対して、パチンコ遊技機１０や図柄表示装置の裏側に配置された各種制御装置２１、２２、２３、２４、２５、２７や発光装置７１、その他の各種の電気部品が配線接続されている。設置部材６１の所定位置には、中継基板６５に接続される配線を係止保持する配線止め（図示省略）を形成してある。各中継基板６５を図５に示す。また、設置部材６１の裏側には、主制御装置２０を着脱可能に設置する主基板ベース７０（図１及び図６参照）が配設されて、主基板ベース７０に配設された主制御装置２０も、中継基板６５に配線接続されるようになっている。なお、裏ユニット５１と設置部材６１との間には、配線（図示省略）を挿通し得る空間部（図示省略）が画成されている。
【００３２】
（図柄表示装置）
図５に示すように、遊技盤４０に配設される図柄表示装置は、各種図柄を表示可能な液晶パネルが収容ケースに収容されたユニット部材であって、収容ケースの後面に液晶パネルの表示を制御する表示制御装置２５や、液晶パネルのバックライトを制御するインバータ装置（図示省略）が配設される。さらに、表示制御装置２５及びインバータ装置の背面側には、発光装置（図示省略）を発光制御する統括制御装置２７が前後に重なるように配設されており、統括制御装置２７の制御信号に基づいて表示制御装置２５が制御を実行して液晶パネルの表示面で図柄変動ゲームが行われると共に、発光装置が発光するようになっている。なお、統括制御装置２７も主制御装置２０（図６参照）に配設接続され、主制御装置２０からの制御信号に基づいて制御を実行するように設定される。表示制御装置２５、及び、統括制御装置２７を図１に示す。
【００３３】
次に、主制御装置２０、電源装置２１、払出し制御装置２２、発射制御装置２３、表示制御装置２５、及び、統括制御装置２７の接続関係について、図７を参照して説明する。図７は、各種基板の接続関係を示す回路図である。主制御装置２０、電源装置２１、払出し制御装置２２、発射制御装置２３、表示制御装置２５、及び、統括制御装置２７の各装置は、主制御基板２０１、電源基板２１１、払出発射制御基板２２１、図柄表示基板２５１、及び、サブ統括制御基板２７１の各基板をそれぞれ有している。また、サブ統括制御基板２７１には、音声データ基板２７２、及び、サブ統括駆動制御基板２７３が接続されている。また、上記中継基板６５にも含まれているが、主制御基板２０１と払出発射制御基板２２１とを接続する信号線及び電源線の中継を行う主制御中継基板６５１を有し、さらに、払出発射制御基板２２１と発射制御抵抗器、ソレノイド用スイッチ及びタッチセンサ等（共に図示省略）とを接続する信号線及び電源線の中継を行う発射制御中継基板６５２を有し、さらに、主制御基板２０１と磁気センサ、入賞口スイッチ及びカウントスイッチ等（共に図示省略）とを接続する信号線及び電源線の中継を行う遊技盤入出力信号中継基板６５３を有し、さらに、前枠（図示省略）に設けられた前枠中継信号基板６５４を有し、さらに、サブ統括制御基板２７１と前枠中継信号基板６５４とを接続する信号線及び電源線の中継を行うサブ統括制御中継基板６５５を有している。
【００３４】
主制御基板２０１は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。
【００３５】
払出発射制御基板２２１は、賞球払出指示コマンドに基づき賞球を払い出させるように球払出装置（図示省略）を制御する基板である。主制御基板２０１のメインＣＰＵが各種センサのうち入賞口の入賞検知センサから入賞検知信号を入力したか否かを判定し、この判定結果が肯定の場合、メインＣＰＵが賞球払出指示コマンドを払出発射制御基板２２１に出力し、払出発射制御基板２２１は、当該賞球払出指示コマンドを受けて、賞球を払い出させるように球払出装置を制御する。また、払出発射制御基板２２１は、発射ハンドル（図示省略）の操作状態を検知し、その検知結果に応じて遊技球の発射間隔や発射強度などの発射制御を実行する。
【００３６】
サブ統括制御基板２７１は、主制御基板２０１が出力した制御信号（制御コマンド）に基づき、音声データ基板２７２、サブ統括駆動制御基板２７３、演出表示制御基板２８１、演出左右ボタン基板、及び、ＬＥＤ駆動基板（共に、図示省略）を統括的に制御する。演出表示制御基板２８１は、主制御基板２０１とサブ統括制御基板２７１が出力した制御信号（制御コマンド）に基づき、演出表示装置（図示省略）の表示態様（図柄、背景、文字などの表示画像など）、及び可動体（図示省略）の動作態様を制御する。また、音声データ基板２７２及びサブ統括駆動制御基板２７３は、主制御基板２０１とサブ統括制御基板２７１が出力した制御信号（制御コマンド）に基づき、各種ランプ部（図示省略）や遊技盤用発光体（図示省略）の発光態様（点灯（点滅）／消灯のタイミングなど）及びスピーカ（図示省略）の音声出力態様（音声出力のタイミングなど）を制御する。
【００３７】
（ユニット、コネクタ）
次に、複数のユニットを組み付けることにより、各ユニットのコネクタ同士を電気的に接続させる組み付け構成について、図３及び図７から図１２を参照して説明する。図８は、中枠１２、それに取り付けられるベース部材３０、雄コネクタ８１、雌コネクタ８２、及び、遊技盤４０の分解斜視図、図９は雄コネクタ８１、フロントベース３１、及び、リヤベース３２の分解斜視図、図１０は雄コネクタ８１の背面図及び平面図等、図１１は嵌合完了時の雄コネクタ８１と雌コネクタ８２、及び、完了開始時の雄コネクタ８１と雌コネクタ８２を示す図、図１２は雌コネクタ８２の正面図、平面図、及び、背面図等である。ここで、ユニットとは、１又は複数の部品から構成され、組み付け対象として一体的に扱われる物をいう。したがって、ユニット同士を組み付けることにより、組み付け対象として一体的に扱われる物は、新たなユニットとなる。本実施形態では、複数のユニットの一例として、中枠１２及び遊技盤４０を挙げ、また、ユニットの組み付け時に電気的に接続するドッキングコネクタの一例として、中枠１２に設けられた雄コネクタ８１、および、遊技盤４０に設けられた雌コネクタ８２を挙げて説明する。なお、中枠１２に取り付けられる上記ベース部材３０及び遊技盤４０に取り付けられる下記ホルダ部材３３もユニット同士として扱う場合がある。
【００３８】
中枠１２に遊技盤４０を組み付けるには、上述したように、遊技盤４０の左側端部４３（裏ユニット５１の枢支端側枠部５２３）を回転保持部１２６で保持した状態で、遊技盤４０の右側端部４４（裏ユニット５１の下枠部５２２の開放端側）を押し込んで（図３（ｂ）参照）、遊技盤４０の左側端部４３（回転保持部１２６）を中心に回動させて、遊技盤４０全体を遊技盤保持部１２５に臨ませて、固定具により遊技盤４０の右側端部４４の上下端部を固定具４５により支持固定する（図２及び図３（ａ）参照）。
【００３９】
図８に示すように、遊技盤４０の右側端部４４にはホルダ部材３３が設けられ、ホルダ部材３３に主制御中継基板６５１が固定され、主制御中継基板６５１に雌コネクタ８２が設けられている。この雌コネクタ８２に対し、中枠１２にはベース部材３０が設けられ、ベース部材３０には、雄コネクタ８１が設けられている。上述したように遊技盤４０の回動中心である、遊技盤４０の左側端部４３を同じく中心に雌コネクタ８２が回動する（図３（ａ）参照）。したがって、雌コネクタ８２が回動するとき、雌コネクタ８２は、雄コネクタ８１に対して左右方向に相対移動しようとする。このとき、雄コネクタ８１を雌コネクタ８２と同じ方向に移動可能に取り付け、雄コネクタ８１が雌コネクタ８２と共に左右方向に移動し、雌コネクタ８２と雄コネクタ８１との相対移動を生じさせないようにする。このために、本実施形態に係るコネクタの取付構造は、フローティングコネクタの構造を採用している。また、フローティングコネクタの構造をとっても、雄コネクタ８１をベース部材３０に対して逆付けした場合、又は、雌コネクタ８２をホルダ部材３３に対して逆付けした場合、雄コネクタ８１及び雌コネクタ８２はハウジングの形状や接触子の配列が非対称に構成されているため、フローティングコネクタの構造は意味をなさず、雄コネクタ８１及び雌コネクタ８２の変形や破損の要因となる。そのため、本実施形態では、雄コネクタ８１及び雌コネクタ８２の逆付け防止の構造を有する。
【００４０】
（雄コネクタの逆付け防止の構造）
次に、雄コネクタ８１の逆付け防止の構造について、図８から図１１を参照して説明する。３つの雄コネクタ８１が上段、中段、下段のように、上下方向に並ぶようにしてベース部材３０に取り付けられている。図８に示すように、３つの雄コネクタ８１は、基本的な構成は同じであり、ハウジング及びハウジングの周壁内に配列されて保持された接触子を有する。中段及び下段の各雄コネクタ８１は、払出発射制御基板２２１にその一端が接続された信号線及び電源線（以下、ケーブルハーネスＣＨという。）の他端に設けられ、遊技盤４０側に設けられた主制御中継基板６５１の各雌コネクタ８２に嵌合することにより、中枠１２及び遊技盤４０の各ユニット同士が電気的に接続される。
【００４１】
ベース部材３０は、フロントベース３１及びリヤベース３２を有する。フロントベース３１とリヤベース３２とを前後方向で組み付け、ねじ部材９１により中枠１２の下枠部材１２２及び右枠部材１２４に固定される。図９に示すように、フロントベース３１は、左方向に面した左下側壁部３１１、蓋部３１２、及び、前方向に面した前壁部３１３を有している。リヤベース３２は、底面部３２１、右方向に面した右側壁部３２２、前記左下側壁部３１１に連続するように形成され、同じく左方向に面した左上側壁部３２３、上方向に面した天井部３２４、及び、後方向に面した後壁部３２５を有している。底面部３２１と、連続するように形成された左下側壁部３１１及び左上側壁部３２３と、右側壁部３２２と、天井部３２４とから後方向ダクトが形成され、該後方向ダクトにより、雄コネクタ８１から延びるケーブルハーネスＣＨが後方向に導かれ、前記後方向に導かれた、少なくとも上段の雄コネクタ８１（場合により中段の雄コネクタ８１）からのケーブルハーネスＣＨを天井部３２４及び後壁部３２５により下方向に曲げ、後壁部３２５と底面部３２１と、蓋部３１２とから左方向ダクトが形成され、前記後方向かつ下方向に導かれたケーブルハーネスＣＨを左方向ダクトにより、左方向に曲げて、左方向ダクトの外に導くようになっている。左方向ダクトの外に導かれたケーブルハーネスＣＨを図８に示す。
【００４２】
フロントベース３１の前壁部３１３には、各雄コネクタ８１を取り付けるための各座面部３４が設けられている。ここで、座面部とは、雄コネクタ８１を取り付けるための座が形成されたユニットの部位あるいはユニットの部品、又は、雄コネクタ８１を取り付けるための座となる部品（ユニットとは別部品）をいう。本実施形態に係る座面部３４は、雄コネクタ８１を取り付けるための座が形成されたフロントベース３１の前壁部３１３（ユニットの部位）である。各座面部３４の基本的な構成は同じである。座面部３４は、予め定められた距離をおいて設けられた第１座穴３５及び第２座穴３６、並びに、確認用係止部３７を有している。第１座穴３５と第２座穴３６との間には、雄コネクタ８１からのケーブルハーネスＣＨを通すための、略矩形状の貫通穴３８が設けられている。第１座穴３５及び第２座穴３６は、ねじ部材９１が螺合する際にネジ溝が刻設される。なお、第１座穴３５及び第２座穴３６は、予めネジ溝が形成されていても良い。確認用係止部３７は、略矩形状の貫通穴３８の右上角縁部に連続して形成された長穴である。３つの雄コネクタ８１の各々に対応させて設けられた座面部３４、第１座穴３５、第２座穴３６、確認用係止部３７、及び、貫通穴３８を図９に示す。
【００４３】
図９に示すように、雄コネクタ８１は、第１座穴３５と第２座穴３６との間の距離と同じ距離をおいて設けられた第１貫通穴８５及び第２貫通穴８６、並びに、雄コネクタ８１の背面（底部側の面）から後方に突設させた被係止部８７を有している。確認用係止部３７及び被係止部８７は、第１座穴３５に第１貫通穴８５を対向させ、第２座穴３６に第２貫通穴８６を対向させた正規の取り付けの場合に、雄コネクタ８１を座面部３４に取り付けるように互いに嵌合し、第１座穴３５に第２貫通穴８６を対向させ、第２座穴３６に第１貫通穴８５を対向させた逆付けの場合に、雄コネクタ８１を座面部３４に取り付けられないように互いの嵌合を阻止する構造となっている。ここで、「互いに嵌合し」とは、確認用係止部３７及び被係止部８７の各位置、及び、各形状のいずれにおいても、互いに嵌合関係を有することをいう。また、「互いの嵌合を阻止する」とは、確認用係止部３７及び被係止部８７の各位置、又は、各形状のいずれかにおいて、互いに嵌合関係を有しないことをいう。
【００４４】
次に、確認用係止部３７及び被係止部８７の各位置が、正規の取り付けの場合に、互いに嵌合関係を有し、逆付けの場合に、互いに嵌合関係を有しない態様について説明する。
【００４５】
図１０に示すように、確認用係止部３７は、座面部３４の第１座穴３５と第２座穴３６（各穴の位置を図１０（ｂ）に示す）との間の中心位置Ｐから外れた位置に設けられ、凸状又は凹状の一方の形状に形成されている。被係止部８７は、雄コネクタ８１の第１貫通穴８５と第２貫通穴８６との間の中心位置Ｐから外れた位置に設けられ、凸状又は凹状の他方の形状に形成されている。実施形態では、確認用係止部３７は、凹状に形成された穴を有するが、座面部３４より後方向に位置する面でも良い。また、被係止部８７は、凸状に形成され、円形の軸直交断面形状の軸を有するが、軸直交断面形状はどのような形でも良く、被係止部８７の先端部が、雄コネクタ８１の底部（座面部３４に接する底部）より後方向に位置していれば良い。凹状に形成された確認用係止部３７、及び、凸状に形成された被係止部８７を図９に示す。また、確認用係止部３７を通る水平線（図９のＸＢ−ＸＢ線）で座面部３４を破断した、確認用係止部３７、及び、その確認用係止部３７に嵌合する被係止部８７を図１０（ｂ）に示す。
【００４６】
雄コネクタ８１は、中枠１２と遊技盤４０との組み付け時に、左右方向に予め定められた範囲内で位置調整可能に座面部３４に支持されたフローティングコネクタの構造を有する。嵌合完了時の雄コネクタ８１と雌コネクタ８２とを図１１（ａ）に示し、嵌合開始時の雄コネクタ８１と雌コネクタ８２とを図１１（ｂ）に示す。雄コネクタ８１は、嵌合開始時から嵌合完了時まで予め定められた範囲Ｌを移動する。
【００４７】
このフローティングコネクタの構造において、雄コネクタ８１に設けられた第１貫通穴８５及び第２貫通穴８６は、長手方向に少なくとも範囲Ｌ（図１１（ｂ）参照）の幅を有する長穴に形成されている（図１０（ａ）参照）。その長穴であるに第１貫通穴８５及び第２貫通穴８６には、ブッシュ９２がそれぞれ嵌め込まれている。第１貫通穴８５及び第２貫通穴８６に嵌め込まれたブッシュ９２を図１０（ｃ）、及び、図１１（ａ）、（ｂ）に示す。ブッシュ９２は、円板形状に形成された上下一対のフランジ部９２１と、上下一対のフランジ部９２１の中心部を連結すると共に、貫通する筒部９２２とを有している。その筒部９２２内を通り第１座穴３５及び第２座穴３６にそれぞれ螺合するねじ部材９１により、雄コネクタ８１が座面部３４に取り付けられている。このようなフローティングコネクタの構造において、雄コネクタ８１は、中枠１２と遊技盤４０との組み付け時に、左右方向に予め定められた範囲Ｌ（図１１に右端壁８８５の移動差で示す）を移動する。それにより、確認用係止部３７と被係止部８７との相対移動量もＬとなる。
【００４８】
雄コネクタ８１が前記範囲Ｌを移動し、その範囲Ｌに応じて、第１貫通穴８５及び第２貫通穴８６が長手方向に所定の幅を有する長穴である場合、第１貫通穴８５と第２貫通穴８６との間の中心位置Ｐとは、第１貫通穴８５の長穴中心と第２貫通穴８６の長穴中心との間の位置をＰ０とすると、左端Ｐ１（＝Ｐ０−Ｌ／２）から右端Ｐ２（＝Ｐ０＋Ｌ／２）までの範囲内の位置をいう。Ｐ０、Ｐ１、及び、Ｐ２を図１０（ａ）、（ｂ）に示す。この中心位置Ｐから外れた位置に凸状に形成された被係止部８７が設けられる。前述したように、確認用係止部３７と被係止部８７との相対移動量がＬとなることから、凹状に形成された確認用係止部３７は、座面部３４の第１座穴３５と第２座穴３６との間の中心位置Ｐから外れた位置に単に設けられる丸穴ではなく、被係止部８７の相対移動量Ｌ以上の左右方向の幅を有する長穴となる。略矩形状の貫通穴３８と連続するように形成された長穴である確認用係止部３７を図９に示す。
【００４９】
雄コネクタ８１は、第１貫通穴８５と第２貫通穴８６との間の前記定められた距離内に、略箱形状に形成され、被係止部８７が設けられた底部８８１及び周壁８８２を含むハウジング８８と、ハウジング８８の周壁８８２内に配列されて保持された接触子８９とを有している。雄コネクタ８１と雌コネクタ８２とのハウジング８８同士が嵌合するように形成されている。雌コネクタ８２のハウジング８８に内嵌する雄コネクタ８１のハウジング８８を図１１（ａ）、（ｂ）に示す。ハウジング８８の右端壁８８５の先端部に傾斜面８８６が形成され、嵌合開始時に、傾斜面８８６同士が相対的に摺動することにより、雄コネクタ８１が左方向に移動し、接触子８９同士の摩擦力が軽減され、接触子８９に大きな負荷がかからず、接触子８９の変形等を防止するフローティングコネクタの構造となっている。図１０（ｂ）に示すように、底部８８１は、底部８８１の両端から接触子８９の配列方向（左右方向）にそれぞれ延ばされた一対の延出部８８３、８８４を有している。左側の延出部８８３には第１貫通穴８５が設けられている。右側の延出部８８４には第２貫通穴８６が設けられている。
【００５０】
底部８８１の一対の延出部８８３、８８４の形状は、中心位置Ｐに対して非点対称に形成されている。「非点対称に形成され」とは、一対の延出部８８３、８８４を、正面方向又は背面方向から見たとき、中心位置Ｐに対し、非点対称に形状されたことを意味する。背面方向から見たとき、外周縁の形状が非点対称に形成された左右一対の延出部８８３、８８４を図１０（ａ）に示す。図１０（ａ）では、左側の延出部８８３の外周縁に切欠部８８７が設けられている。なお、非点対称の形状としては、延出部８８３、８８４の外周縁の形状に限らず、延出部８８３、８８４の面に凹凸を施した形状であっても良い。非点対称の形状を基に、雄コネクタ８１が逆付けであるか否かを視認することが可能となる。
【００５１】
雄コネクタ８１を逆付けしようとする場合、確認用係止部３７及び被係止部８７の互いの位置が中心位置Ｐに点対称の位置となり、一致しないため、被係止部８７が確認用係止部３７に嵌合せず、座面部３４に乗り上げて、雄コネクタ８１が傾いた状態となる。その雄コネクタ８１の傾きを作業者が視認することで、雄コネクタ８１の逆付けを防止することが可能となる。被係止部８７が座面部３４に乗り上げられて、底部８８１が座面部３４に対して角度θを成す雄コネクタ８１を図１０（ｄ）に示す。凸状に形成された被係止部８７は、底部８８１又は延出部８８３、８８４の中心位置Ｐ寄りの位置に設ければ良い。被係止部８７が設けられる位置を中心位置Ｐに近づけるに応じて、角度θが大きくなり、雄コネクタ８１の逆付けを視認し易くなる。また、被係止部８７を延出部８８３、８８４に設けることにより、作業者が雄コネクタ８１を把持するとき、被係止部８７に触れたり、見たりすることで、被係止部８７の位置を確認することができ、この点からも、雄コネクタ８１の逆付けを防止することが可能となる。なお、雄コネクタ８１の正規の取付の場合、中枠１２に遊技盤４０を組み付ける時、上段、中段、下段の３つの雄コネクタ８１が、共に、フローティングコネクタの構造を採っているため、各雌コネクタ８２からの大きな抵抗（主に接触子同士の摩擦抵抗）を受けず、雄コネクタ８１及び雌コネクタ８２の損傷を防止することが可能となる。
【００５２】
雄コネクタ８１を座面部３４に取り付ける場合、ねじ部材９１を第１貫通穴８５及び第２貫通穴８６にそれぞれ通し、第１座穴３５及び第２座穴３６に螺合させて、雄コネクタ８１を座面部３４に取り付ける。このとき、凸状に形成された被係止部８７の嵌合する方向の長さは、ねじ部材９１の首下の長さ以上にすれば良い。それにより、ねじ部材９１の先端部が第１座穴３５又は第２座穴３６に達せず、雄コネクタ８１の取付が不能となる。雄コネクタ８１の逆付けを容易に判断することが可能となる。なお、説明の都合上、雄コネクタ８１、雌コネクタ８２、ベース部材３０、ホルダ部材３３等の固定する対象を同種類のねじ部材９１で固定するものを示したが、パチンコ遊技機１０を製作する際には、固定する対象に応じて、種類の異なるねじ部材９１を使用することはいうまでもない。
【００５３】
（雌コネクタの逆付け防止の構造）
次に、雌コネクタ８２の逆付け防止の構造について図２、図８及び図１２を参照して説明する。雌コネクタ８２の逆付け防止の構造は、前述した雄コネクタ８１の逆付け防止の構造と基本的に同じである。以下、雌コネクタ８２の逆付け防止の構造が、雄コネクタ８１の逆付け防止の構造に対し異なる点について主に説明し、重複した説明を省略する。図１２（ａ）は雌コネクタの正面図、（ｂ）は平面図、（ｃ）は背面図、（ｄ）は逆付けした場合の雌コネクタの平面図である。
【００５４】
前記したように、遊技盤４０の右側端部４４にはホルダ部材３３が設けられ、ホルダ部材３３に主制御中継基板６５１が固定され、主制御中継基板６５１に雌コネクタ８２が設けられている。ホルダ部材３３に固定された主制御中継基板６５１を図８に示す。なお、図８では、遊技盤４０の下枠部５２２の開放端側を示し、また、その開放端側に設けられるホルダ部材３３、及び、主制御中継基板６５１を部分的に示している。前記上段、中段及び下段の３つの雄コネクタ８１に対応して３つの雌コネクタ８２が設けられているが、図８では、下段の雄コネクタ８１に対応する雌コネクタ８２、及び、その雌コネクタ８２を取り付けるための１組の第１座穴３５及び第２座穴３６のみを示し、上段及び中段の２つの雄コネクタ８１に対応する２つの雌コネクタ８２、及び、その２つの雌コネクタ８２を取り付けるための２組の第１座穴３５及び第２座穴３６を省略している。
【００５５】
第１座穴３５、第２座穴３６、及び、確認用係止部３７が、主制御中継基板６５１に設けられている。なお、第１座穴３５、第２座穴３６、及び、確認用係止部３７をホルダ部材３３に設けても良い。また、被係止部８７が雌コネクタ８２の底部８８１（右側の延出部８８４寄りの位置）に設けられている。雌コネクタ８２は、フローティングコネクタの構造を採らないため、第１貫通穴８５及び第２貫通穴８６は、丸穴である。ねじ部材９１を第１貫通穴８５及び第２貫通穴８６にそれぞれ通り、主制御中継基板６５１に設けられた第１座穴３５及び第２座穴３６に螺合することにより、雌コネクタ８２を主制御中継基板６５１又はホルダ部材３３に取り付ける。底部８８１から前方向（図１２の紙面下方向）に凸状に形成された被係止部８７が、座面部３４に設けられた確認用係止部３７に嵌合して正規の取付の場合の雌コネクタ８２を図１２（ｂ）に示す。中心位置Ｐから外れた底部８８１の位置に設けられた被係止部８７を図１２（ｃ）に示す。また、被係止部８７が確認用係止部３７に嵌合せず、座面部３４に乗り上げられた逆付けの場合の雌コネクタ８２を図１２（ｄ）に示す。
【００５６】
（変形例）
次に、本実施形態の変形例について、図１３を参照して説明する。図１３は、雄コネクタ８１の変形例を示した図である。前記実施形態では、底部８８１又は延出部８８３、８８４に設けられ、かつ、後方向へ凸状に形成された被係止部８７を示したが、これに限らず、雄コネクタ８１の外周縁の一部に設けられ、かつ、前方及び後方へそれぞれ凸状に形成された被係止部８７としても良い。被係止部８７を雄コネクタ８１の外周縁に設け、また、前後方向に突出させたので、被係止部８７の位置や形状を視認し易くなり、雄コネクタ８１の逆付けか否かを容易に判定することが可能となる。雄コネクタ８１の外周縁の一部に設けられた被係止部８７を図１３（ａ）に示し、前方及び後方にそれぞれ凸状に形成された被係止部８７が確認用係止部３７に嵌合する正規の取付の場合の雄コネクタを図１３（ｂ）に示し、被係止部８７が確認用係止部３７に嵌合せず、座面部３４に乗り上がった逆付けの場合の雄コネクタ８１を図１３（ｃ）に示す。
【００５７】
本実施形態の他の変形例について説明する。図１４を参照して説明する。図１４は、雌コネクタ８２の変形例を示した図である。被係止部８７は、第１貫通穴８５又は第２貫通穴８６の一方の貫通穴の周縁部に設けられ、確認用係止部３７は、一方の貫通穴に対応する、第１座穴３５又は第２座穴３６の一方の座穴の周縁部に設けられる。凸状に形成された第２座穴３６の周縁部３６１、凹状に形成された第２貫通穴８６の周縁部８６１を図１４に示す。雌コネクタ８２の正規の取付の場合、凸状に形成された第２座穴３６の周縁部３６１が、凹状に形成された第２貫通穴８６の周縁部８６１に嵌合し、雌コネクタ８２を座面部３４に取り付けることができる。凹状に形成された第２貫通穴８６の周縁部８６１に対し、嵌合した凸状に形成された第２座穴３６の周縁部３６１を図１４（ａ）に示す。雌コネクタ８２の逆付けの場合、凸状に形成された第２座穴３６の周縁部３６１が、第１貫通穴８５に嵌合せず、凸状に形成された第２座穴３６の周縁部３６１に雌コネクタ８２が乗り上がるようになる。それにより、雌コネクタ８２の逆付けを容易に視認することが可能となる。凸状に形成された第２座穴３６の周縁部３６１に乗り上がって、座面部３４と角度θを成す雄コネクタ８１を図１４（ｂ）に示す。なお、第２座穴３６の周縁部３６１を凹状に形成し、第２貫通穴８６の周縁部８６１を凸状に形成し、凹状に形成された第２座穴３６の周縁部３６１に、凸状に形成された第２貫通穴８６の周縁部８６１を嵌合するようにしても良い。以上のように、第２座穴３６の周縁部及び第２貫通穴８６の周縁部を凹凸形状にすることで、確認用係止部３７及び被係止部８７をあえて特別な場所に設けずに済み、雌コネクタ８２の大型化を防止することが可能となる利点がある。なお、このような構成は、フローティングコネクタの構造を採らない雄コネクタ８１にも適用可能であるが、フローティングコネクタの構造を採る雄コネクタ８１に適用しても良い。
【００５８】
前記実施形態では、確認用係止部３７及び被係止部８７の各位置において、互いに嵌合関係を有しないことにより、確認用係止部３７及び被係止部８７の互いの嵌合を阻止する構造を示したが、具体的に、確認用係止部３７及び被係止部８７を中心位置Ｐから外れた位置に設けた。これに限らず、確認用係止部３７及び被係止部８７の各形状において、互いに嵌合関係を有しないことにより、確認用係止部３７及び被係止部８７の互いの嵌合を阻止する構造であっても良い。一例としては、確認用係止部３７及び被係止部８７の嵌合する方向に対して直交する各断面形状は、中心位置Ｐに対して非点対称にそれぞれ形成されている。確認用係止部３７は、凸状又は凹状の一方の形状に形成され、被係止部８７は、凸状又は凹状の他方の形状に形成される。確認用係止部３７及び被係止部８７の各断面形状としては、例えば、三角形及び五角形が含まれる。逆付けしようとする場合、確認用係止部３７の外周縁に被係止部８７の外周縁野一部又は全部が当接し、確認用係止部３７と被係止部８７とが嵌合しないため、雄コネクタ８１又は雌コネクタ８２の各逆付けを防止することが可能となる。以上のように、確認用係止部３７及び被係止部８７の各断面形状を形成した場合、確認用係止部３７は、座面部３４の第１座穴３５と第２座穴３６との間の中心位置Ｐに設けられても良く、また、被係止部８７は、雄コネクタ８１又は雌コネクタ８２の第１貫通穴８５と第２貫通穴８６との間の中心位置Ｐに設けられても良い。
【００５９】
また、前記実施形態では、ドッキングコネクタの構造の一例として、ユニット同士である中枠１２と遊技盤４０とを組み付ける時、雄コネクタ８１と雌コネクタ８２とを嵌合させ、ユニット同士を電気的に接続させる構造を示したが、ユニット同士はこれに限定するものではない。例えば、前枠１３と遊技盤４０とを組み付ける場合、雄コネクタ８１と雌コネクタ８２とを電気的に接続させる構造であっても良い。前枠１３には前枠中継信号基板６５４（図７参照）が設けられ、前枠中継信号基板６５４には、雄コネクタ８１又は雌コネクタ８２の一方が設けられ、遊技盤４０には、サブ統括制御中継基板６５５（図７参照）が設けられ、サブ統括制御中継基板６５５には、雄コネクタ８１又は雌コネクタ８２の他方が設けられている。ユニット同士である前枠１３と遊技盤４０とを組み付ける時、雄コネクタ８１と雌コネクタ８２とを嵌合させ、ユニット同士を電気的に接続することが可能となる。
【符号の説明】
【００６０】
１０  パチンコ遊技機    １１  外枠    １１１  上枠    １１２  下枠    
１１３  左枠    １１４  右枠    １２  中枠    １２２  下枠部材    
１２３  左枠部材    １２４  右枠部材    １２５  遊技盤保持部    
１２６  回転保持部    １２７  球タンク    １２８  セット部材    １２９  球通路ユニット    １２９ａ  球払出し装置
２０  主制御装置    ２１  電源装置    ２２  払出し制御装置    ２３  発射制御装置
２４  インターフェース基板    ２５  表示制御装置    ２７  統括制御装置
２０１  主制御基板    ２１１  電源基板    ２２１  払出発射制御基板
２５１  図柄表示基板    ２７１  サブ統括制御基板    ２７２  音声データ基板
２７３  サブ統括駆動制御基板
３０  ベース部材    ３１  フロントベース    ３２  リヤベース    ３３  ホルダ部材
３４  座面部    ３５  第１座穴    ３６  第２座穴    ３７  確認用係止部
３８  貫通穴    ４０  遊技盤    ４０ａ  遊技領域    ４１  透明板
４２  レール    ４３  左側端部    ４４  右側端部    ４５  固定具
５１  裏ユニット    ５２  可視表示部    ５２１  上枠部    ５２２  下枠部
５２３  枢支端側枠部    ５２４  開放端側枠部
６１  設置部材    ６２  設置部材の上面    ６３  基板設置部    ６５  中継基板
６５１  主制御中継基板    ６５２  発射制御中継基板    ６５３  遊技盤入出力信号中継基板    ６５４  前枠中継信号基板    ６５５  サブ統括制御中継基板
７０  主基板ベース    ７１  発光装置
８１  雌コネクタ    ８２  雄コネクタ  ８５  第１貫通穴    ８６  第２貫通穴
８７  被係止部    ８８  ハウジング    ８８１  底部    ８８２  周壁
８８３、８８４  延出部    ８８５  右端壁    ８８６  傾斜面
８９  接触子    ９１  ねじ部材    ９２  ブッシュ    ９２１  フランジ部
９２２  筒部
【図１】
0005473693.tif 000002
【図２】
0005473693.tif 000003
【図３】
0005473693.tif 000004
【図４】
0005473693.tif 000005
【図５】
0005473693.tif 000006
【図６】
0005473693.tif 000007
【図７】
0005473693.tif 000008
【図８】
0005473693.tif 000009
【図９】
0005473693.tif 000010
【図１０】
0005473693.tif 000011
【図１１】
0005473693.tif 000012
【図１２】
0005473693.tif 000013
【図１３】
0005473693.tif 000014
【図１４】
0005473693.tif 000015